(57)【要約】【課題】透明ファイル部材の枚数の増減や差し替えが容易に行え、且つ、綴じ込まれた透明ファイル部材の位置がずれることのないメニューブックの提供。【解決手段】透明ファイル部材４の綴じ代部4Aにおける長手方向の端部に、挟持ピン５の連結部5Cが差し込まれるスリット状の切り込み部4Dを形成し、綴じ代部4Aの幅方向に沿って透明ファイル部材を移動させようとすると、透明ファイル部材４における切り込み部4Dの両側を囲む縁部分が挟持ピン５の連結部5Cに係止され、透明ファイル部材４は、綴じ代部4Aの幅方向に沿って、その位置がずれなくなる。これにより、メニューブック１は、表紙部材３に綴じ込まれた透明ファイル部材４の枚数の増減や差し替えを容易に行うことができ、且つ、綴じ代部4Aの長手方向及び幅方向のいずれの方向についても位置がずれることがなくなる。【選択図】    図１
2013146967.tif 000002
【特許請求の範囲】
【請求項１】
表側の表紙位置に配置される表カバー部、裏側の表紙位置に配置される裏カバー部、及び、前記表カバー部及び前記裏カバー部の端縁同士を連結する背カバー部を有する表紙部材と、前記表紙部材の前記背カバー部に対応する綴じ代部、及び、前記綴じ代部の両側に一体に形成されるとともに、内部にメニューに係る品目が記載された献立記載用紙が挿入可能となった袋状のポケット部を有する透明ファイル部材と、前記透明ファイル部材を綴じ込むためにヘアピン状に形成されて、一対の脚部、及び、前記一対の脚部を相互に連結する連結部を有する挟持ピンとを備え、前記背カバー部の長手方向における両端近傍部分の各々には、当該両端近傍部分を貫通する挿通孔が設けられ、これらの挿通孔の各々には、前記挟持ピンの一方の脚部が挿通され、前記挟持ピンにおける前記挿通孔に挿通された一方の脚部と、前記背カバー部の端部近傍部分とで、前記透明ファイル部材の前記綴じ代部における長手方向の端部を挟持することで、前記表紙部材の内部に前記透明ファイル部材を綴じ込むように形成されたメニューブックであって、
前記透明ファイル部材の前記綴じ代部における長手方向の端部には、前記一方の脚部が前記挿通孔に挿通された前記挟持ピンの連結部が差し込まれるスリット状の切り込み部が形成されていることを特徴とするメニューブック。
【発明の詳細な説明】
【技術分野】
【０００１】
本発明は、表側の表紙位置に配置される表カバー部と、裏側の表紙位置に配置される裏カバー部と、前記表カバー部及び前記裏カバー部の端縁同士を連結する背カバー部とを備え、前記表カバー部と前記裏カバー部との間に、袋状に形成された透明な透明ファイル部材が綴じ込まれるようになっているメニューブックに関する。
【背景技術】
【０００２】
従来から、レストラン等の飲食店では、来店した客に料理を提供するにあたり、まず最初に、提供することができる料理の品目が記載されたメニューを客に提示し、メニューの中から、客に所望する料理を選択させて、注文を取るようになっている。
ここで、メニューそのものは、提供できる料理の品目が記載された単なる紙であり、汚れ等から保護する必要があり、このために、メニューを内部に綴じ込むためのメニューブックが利用されている。
【０００３】
メニューブックは、表側の表紙位置に配置される表カバー部と、裏側の表紙位置に配置される裏カバー部とを備え、表カバー部及び裏カバー部の間に、透明な塩化ビニル製のシートで形成された袋状の透明ファイル部材を綴じ込む構造のものである。そして、メニューは、透明ファイル部材の内部に収納された状態で、メニューブックに綴じ込まれるようになっている。
このように、メニューブックに綴じ込まれた状態でメニューを使用すれば、メニューが透明ファイル部材の内部に収納されているので、飲み物や料理でメニューそのものが汚れることがなく、且つ、メニューブックや透明ファイル部材は汚れても、その汚れを容易に取り除くことができるので、メニューを提示した際に、客に清潔な印象を与えることができるうえ、メニューそのものにも高級感を付与することができる。
【０００４】
ここで、本出願人は、内部に綴じ込まれる透明ファイル部材の枚数の増減が容易に行え、且つ、内部に綴じ込まれている透明ファイル部材を別の透明ファイル部材に差し替えることが容易に行えるメニューブックを提案している（例えば、特許文献１参照）。
【０００５】
具体的に説明すると、メニューブックの本体部分となる表紙部材には、表側の表紙となる表カバー部と、裏側の表紙となる裏カバー部と、表カバー部及び裏カバー部の端縁同士を連結する背カバー部とが設けられている。
この表紙部材の背カバー部には、当該背カバー部の長手方向における両端近傍部分を貫通する挿通孔が設けられている。
一方、透明ファイル部材は、袋状に形成された一対のポケット部が左右に配列されて結合されたものである。透明ファイル部材における左右のポケット部の間には、これらのポケット部の連結部分であって、表紙部材の背カバー部に綴じ込まれる綴じ代部が形成されている。
【０００６】
このような透明ファイル部材を表紙部材の内部に綴じるにあたり、一対の脚部を有するとともにヘアピン状に形成された一対の挟持ピンが利用される。
すなわち、表紙部材の背カバー部の両端近傍に形成されている挿通孔の各々に、挟持ピンの一方の脚部が背カバー部の外側から挿通され、当該脚部の全体が背カバー部の内側に配置される。すると、挟持ピンに設けられた一対の脚部における互いに対向する内側面のうち、背カバー部の内側に配置された脚部の内側面は、先端部分が背カバー部の内面に当接するようになる。
そして、背カバー部の内部に配置された挟持ピンの脚部と、背カバー部の内側面との間に、透明ファイル部材の綴じ代部の長手方向の端部を差し込むと、透明ファイル部材の綴じ代部の端部が、挟持ピンの一方の脚部と背カバー部の内側面と挟持され、これにより、透明ファイル部材は、表紙部材の内部に綴じ込まれるようになっている。
【０００７】
このようなメニューブックによれば、表紙部材の内部に綴じ込まれている透明ファイル部材は、その綴じ代部の端部が挟持ピンの一方の脚部と背カバー部の内側面と挟持されているだけなので、挟持ピンの脚部と背カバー部の内側面との間から綴じ代部の端部を容易に引き抜くことができ、従って、内部に綴じ込まれる透明ファイル部材の枚数を容易に減らすことができる。
また、表紙部材の内部に綴じ込まれている透明ファイル部材の枚数が所定の枚数よりも少なければ、挟持ピンの脚部と背カバー部の内側面との間に、新たな透明ファイル部材の綴じ代部の端部を容易に差し込むことができ、従って、内部に綴じ込まれる透明ファイル部材の枚数を容易に増やすことができる。
このため、前述のようなメニューブックによれば、内部に綴じ込まれる透明ファイル部材の枚数の増減を容易に行うことができる。
【０００８】
さらに、透明ファイル部材は、その綴じ代部の端部が挟持ピンの脚部と背カバー部の内側面との間に挟まれているだけなので、挟持ピンの脚部と背カバー部の内側面との間から、綴じ代部の端部を容易に引き抜くことができ、且つ、挟持ピンの脚部と背カバー部の内側面との間に、新たな透明ファイル部材の綴じ代部の端部を容易に差し込むこともできるので、内部に綴じ込まれている透明ファイル部材を別の透明ファイル部材に差し替えることも容易に行うことができる。
【先行技術文献】
【特許文献】
【０００９】
【特許文献１】特開２００５−１９９５８５号公報
【発明の概要】
【発明が解決しようとする課題】
【００１０】
前述のようなメニューブックでは、メニューブックに綴じられている透明ファイル部材は、その綴じ代部の端部が挟持ピンの脚部と背カバー部の内側面との間に挟まれているだけなので、綴じ代部の両端に配置された挟持ピンによって、綴じ代部の長手方向に沿った位置ずれは規制されるが、綴じ代部の幅方向に沿った位置ずれを規制するものがないので、使用中に、透明ファイル部材が綴じ代部の幅方向に沿って位置がずれてしまうおそれがある、という問題がある。
【００１１】
そこで、各請求項にそれぞれ記載された各発明は、上記した従来の技術の有する問題点に鑑みてなされたものであり、その目的とするところは、透明ファイル部材の枚数の増減や差し替えが容易に行え、且つ、綴じ込まれた透明ファイル部材の位置がずれることのないメニューブックを提供することである。
【課題を解決するための手段】
【００１２】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１３】
（請求項１）
（特徴点）
請求項１記載の発明は、次の点を特徴とする。
すなわち、請求項１に記載の発明は、表側の表紙位置に配置される表カバー部(3A)、裏側の表紙位置に配置される裏カバー部(3B)、及び、前記表カバー部(3A)及び前記裏カバー部(3B)の端縁同士を連結する背カバー部(3C)を有する表紙部材(３)と、前記表紙部材(３)の前記背カバー部(3C)に対応する綴じ代部(4A)、及び、前記綴じ代部(4A)の両側に一体に形成されるとともに、内部にメニューに係る品目が記載された献立記載用紙(２)が挿入可能となった袋状のポケット部(4B)を有する透明ファイル部材(４)と、前記透明ファイル部材(４)を綴じ込むためにヘアピン状に形成されて、一対の脚部(5A, 5B)、及び、前記一対の脚部(5A, 5B)を相互に連結する連結部(5C)を有する挟持ピン(５)とを備え、前記背カバー部(3C)の長手方向における両端近傍部分の各々には、当該両端近傍部分を貫通する挿通孔(3E)が設けられ、これらの挿通孔(3E)の各々には、前記挟持ピン(５)の一方の脚部(5A)が挿通され、前記挟持ピン(５)における前記挿通孔(3E)に挿通された一方の脚部(5A)と、前記背カバー部(3C)の端部近傍部分とで、前記透明ファイル部材(４)の前記綴じ代部(4A)における長手方向の端部(4E)を挟持することで、前記表紙部材(３)の内部に前記透明ファイル部材(４)を綴じ込むように形成されたメニューブック(１)であって、前記透明ファイル部材(４)の前記綴じ代部(4A)における長手方向の端部(4E)には、前記一方の脚部(5A)が前記挿通孔(3E)に挿通された前記挟持ピン(５)の連結部(5C)が差し込まれるスリット状の切り込み部(4D)が形成されていることを特徴とする。
【発明の効果】
【００１４】
（請求項１の効果）
以上のように構成されている本発明は、以下に記載されるような効果を奏する。
すなわち、請求項１記載の発明によれば、透明ファイル部材を綴じ込むために、ヘアピン状に形成されて、一対の脚部、及び、前記一対の脚部を相互に連結する連結部を有する挟持ピンを設けるとともに、表紙部材の背カバー部の両端近傍に、挟持ピンの一方の脚部を挿通させる挿通孔を設け、表紙部材側に設けた挿通孔の内部に挿通させた挟持ピンの一方の脚部と、背カバー部の端部近傍部分とで、背カバー部の綴じ代部における長手方向の端部を挟持することで、透明ファイル部材を表紙部材に綴じ込むようしたので、綴じ込まれた透明ファイル部材は、その綴じ代部の端部が挟持ピンの一方の脚部と背カバー部の内側面との間に挟持されているだけなので、表紙部材への着脱が容易となり、透明ファイル部材の枚数の増減や差し替えが容易に行える。
ここで、表紙部材に綴じ込まれた透明ファイル部材は、その綴じ代部の両端部分が一対の挟持ピンの間に挟まれた状態で係止され、綴じ代部の長手方向に沿って移動が規制されるので、綴じ代部の長手方向に沿った位置ずれが生じることがない。
また、透明ファイル部材の綴じ代部における長手方向の端部に、挟持ピンの連結部が差し込まれるスリット状の切り込み部を形成したので、綴じ代部の幅方向に沿って透明ファイル部材を移動しようとすると、透明ファイル部材における切り込み部の両側を囲む縁部分が挟持ピンの連結部に係止され、これにより、透明ファイル部材は、綴じ代部の幅方向に沿った位置ずれが生じることがない。
従って、表紙部材に綴じ込まれた透明ファイル部材は、その枚数の増減や差し替えを容易に行うことができ、且つ、綴じ代部の長手方向及び幅方向のいずれの方向についても位置がずれることがなくなり、これにより、前記目的が達成される。
【図面の簡単な説明】
【００１５】
【図１】本発明の一実施形態に係るメニューブックを示す斜視図である。
【図２】前記実施形態の要部を示す拡大斜視図である。
【図３】前記実施形態に係る表紙部材の背カバー部を示す斜視図である。
【図４】前記実施形態に係る表紙部材の挿通孔を示す拡大斜視図である。
【図５】前記実施形態に係る透明ファイル部材の要部を示す拡大斜視図である。
【図６】前記実施形態に係る挟持ピンを示す拡大斜視図である。  本発明の変形例を示す断面図である。
【発明を実施するための形態】
【００１６】
以下に、本発明を実施するための一形態である実施形態について、図面に基づいて説明する。
図１において、本実施形態に係るメニューブック１は、メニューに係る品目が記載された複数の献立記載用紙２を内部に綴じ込むことが可能になったものである。
具体的には、メニューブック１は、図１に示すように、当該メニューブック１の外装部分となるように、開閉可能に略二つ折りにされた表紙部材３と、前述の献立記載用紙２を内部に収納するために、袋状に形成された透明ファイル部材４と、透明ファイル部材４を綴じ込むために設けられた複数の挟持ピン５とを備えたものである。
換言すると、メニューブック１は、献立記載用紙２を収納した透明ファイル部材４を挟持ピン５で表紙部材３の内部に綴じ込んだものとなっている。ここで、表紙部材３の内部には、挟持ピン５で綴じ込むことができる最大枚数を超えない範囲で、任意の枚数の透明ファイル部材４を綴じ込むことが可能となっている。
【００１７】
表紙部材３は、図１及び図２に示すように、表側の表紙位置に配置される表カバー部3Aと、裏側の表紙位置に配置される裏カバー部3Bと、表カバー部及び裏カバー部の端縁同士を連結する背カバー部3Cを有する部材である。
表カバー部3Aと背カバー部3Cとの境界線及び裏カバー部3Bと背カバー部3Cとの境界線は、それぞれ図１において谷折りにされる折り曲げ部3Dとなっている。
【００１８】
この際、表カバー部3Aと背カバー部3Cと間の折り曲げ部3Dは、背カバー部3Cに対して表カバー部3Aを回動自在に支持するヒンジとされている。
裏カバー部3Bと背カバー部3Cと間の折り曲げ部3Dは、背カバー部3Cに対して裏カバー部3Bを回動自在に支持するヒンジとなっている。
背カバー部3Cの長手方向における両端近傍部分の各々には、図２〜図４に示すように、当該両端近傍部分を貫通する挿通孔3Eが設けられている。
【００１９】
透明ファイル部材４は、柔軟性を有する合成樹脂（例えば、ポリ塩化ビニル等）からなる部材である。この透明ファイル部材４には、図１及び図２の如く、表紙部材３の背カバー部3Cに対応する綴じ代部4Aと、綴じ代部4Aの両側に一体に形成されるとともに、内部にメニューに係る品目が記載された献立記載用紙２が挿入可能となった袋状のポケット部4Bとが備えられている。
綴じ代部4Aと、その両側のポケット部4Bとの境界部分は、図１、図２及び図５に示すように、それぞれ綴じ代部4Aに対してポケット部4Bを回動自在に支持するヒンジ部4Cとなっている。
ここで、透明ファイル部材４の綴じ代部4Aにおける長手方向の端部には、図２及び図５の如く、挟持ピン５の後述する連結部5Cが差し込まれるスリット状の切り込み部4Dが形成されている。なお、切り込み部4Dの幅は、挟持ピン５の連結部5Cの幅に対応した寸法に設定されている。
【００２０】
挟持ピン５は、弾性力を有する金属製の部材であり、図６に示すように、透明ファイル部材４を綴じ込むためにヘアピン状に形成されたものである。
この挟持ピン５には、一対の脚部5A, 5B、及び、一対の脚部5A, 5Bを相互に連結する連結部5Cとが設けられている。
挟持ピン５の一方の脚部5Aは、途中部分がジグザグに折れ曲がったものとなっており、挟持ピン５の他方の脚部5Bは、ストレートに延びたものとなっている。
【００２１】
挟持ピン５の一方の脚部5Aは、表紙部材３の外側から挿通孔3Eの内部に挿通されて、背カバー部3Cの内側の面に沿った状態で配置されるようになっている。
ここで、図２において、表紙部材３に設けられている背カバー部3Cの内側の面における端部近傍部分は、挟持ピン５の脚部5Aとの間に透明ファイル部材４の綴じ代部4Aにおける長手方向の端部4Eを挟持する挟持部3Fとなっている。
【００２２】
そして、メニューブック１は、図２の如く、挟持ピン５の脚部5Aと、表紙部材３における背カバー部3Cの内側の挟持部3Fとで、透明ファイル部材４の綴じ代部4Aの端部4Eを挟持することで、表紙部材３の内部に透明ファイル部材４を綴じ込むように形成されたものとなっている。
この際、透明ファイル部材４の綴じ代部4Aに形成された切り込み部4Dには、図１及び図２の如く、挟持ピン５の連結部5Cが差し込まれるようになっている。
これにより、透明ファイル部材４は、切り込み部4Dの内部に差し込まれた挟持ピン５の連結部5Cによって切り込み部4Dの両側部分が係止され、綴じ代部4Aの幅方向（図１及び図２中、矢印αで示す方向）に沿った位置ずれが防止されるようになっている。
【００２３】
ここで、透明ファイル部材４の綴じ代部4Aに形成された切り込み部4Dの深さ寸法Ｌ（図５参照）は、透明ファイル部材４のサイズに応じて設定されるが、透明ファイル部材４のポケット部4Bのサイズが一般的なＡ４版の場合、３〜１０mmの範囲で設定するのが好ましい。
また、表紙部材３に設けられた一対の挿通孔3Eの間の離間寸法D1（図４参照）は、透明ファイル部材４に設けられた一対の切り込み部4Dの間の離間寸法D2（図５参照）よりも大きく設定されている。なお、離間寸法D1と離間寸法D2との差は、メニューブック１のサイズに応じて設定されるが、メニューブック１のサイズが一般的なＡ４版の場合、１〜３mmの範囲で設定するのが好ましい。
【００２４】
前述のような本実施形態によれば、次のような効果が得られる。
すなわち、透明ファイル部材４を綴じ込むために、ヘアピン状に形成されて、一対の脚部5A, 5B、及び、一対の脚部5A, 5Bを相互に連結する連結部5Cを有する挟持ピン５を設けるとともに、表紙部材３の背カバー部3Cの両端近傍に、挟持ピン５の一方の脚部5Aを挿通させる挿通孔3Eを設け、表紙部材３側に設けた挿通孔3Eの内部に挿通させた挟持ピン５の一方の脚部5Aと、背カバー部3Cの挟持部3Fとで、背カバー部3Cの綴じ代部4Aにおける長手方向の端部4Eを挟持することで、透明ファイル部材４を表紙部材３に綴じ込むようしたので、綴じ込まれた透明ファイル部材４は、その綴じ代部4Aの端部4Eが挟持ピン５の一方の脚部5Aと背カバー部3Cの内側面との間に挟持されているだけなので、表紙部材３への着脱が容易に行え、且つ、透明ファイル部材４の枚数の増減や差し替えも容易に行える。
【００２５】
ここで、表紙部材３に綴じ込まれた透明ファイル部材４は、その綴じ代部4Aの両端部分が一対の挟持ピン５の間に挟まれた状態で係止され、これにより、綴じ代部4Aの長手方向に沿って移動が規制されるので、綴じ代部4Aの長手方向に沿って位置ずれをおこすことがない。
また、透明ファイル部材４の綴じ代部4Aにおける長手方向の端部に、挟持ピン５の連結部5Cが差し込まれるスリット状の切り込み部4Dを形成したので、綴じ代部4Aの幅方向に沿って透明ファイル部材を移動させようとすると、透明ファイル部材４における切り込み部4Dの両側を囲む縁部分が挟持ピン５の連結部5Cに係止され、これにより、透明ファイル部材４は、綴じ代部4Aの幅方向に沿って位置ずれをおこすことがない。
従って、メニューブック１は、表紙部材３に綴じ込まれた透明ファイル部材４の枚数の増減や差し替えを容易に行うことができ、且つ、綴じ代部4Aの長手方向及び幅方向のいずれの方向についても位置がずれることがないので、使い勝手を向上することができる。
【００２６】
なお、本発明は、前記実施形態に限定されるものではなく、本発明の目的を達成できる範囲における変形及び改良などをも含むものである。
すなわち、前記実施形態では、挟持ピン５の脚部5Aを挿通させるために、表紙部材３に設けられた挿通孔として、長方形状の挿通孔3Eを採用したが、挿通孔としては、長方形状の孔に限らず、「コ」字形状に折れ曲がったスリットとして形成され、「コ」字形状の背の部分に挟持ピン５の脚部5Aが挿通される孔でもよく、要するに、挟持ピン５の脚部5Aが挿通可能な形状であればよい。
【符号の説明】
【００２７】
1       メニューブック
2       献立記載用紙
3       表紙部材
3A      表カバー部
3B      裏カバー部
3C      背カバー部
3E      挿通孔
4       透明ファイル部材
4A      綴じ代部
4B      ポケット部
4E      綴じ代部の端部
4D      切り込み部
5       挟持ピン
5A, 5B  脚部
5C      連結部
【図１】
2013146967.tif 000003
【図２】
2013146967.tif 000004
【図３】
2013146967.tif 000005
【図４】
2013146967.tif 000006
【図５】
2013146967.tif 000007
【図６】
2013146967.tif 000008